(57)【特許請求の範囲】
【請求項１】
各携帯端末装置を識別する携帯端末識別情報を含んだ画像形成情報を発信するネットワーク上の各携帯端末装置と通信する携帯端末通信手段と、
前記各携帯端末装置からの画像形成情報を処理して蓄積する少なくとも２つのサーバを含むネットワーク上の装置と通信するネットワーク通信手段と、
前記携帯端末通信手段によって前記携帯端末装置と通信することで取得した携帯端末識別情報と、前記ネットワーク通信手段によって前記サーバと通信することで取得した画像形成情報に含まれる携帯端末識別情報とが一致するか否かを判定する端末識別情報判定手段と、
前記携帯端末通信手段によって前記携帯端末装置と通信することで取得したサーバアドレスと、前記ネットワーク通信手段によって前記サーバと通信することで取得した画像形成情報に含まれるサーバアドレスとが一致するか否かを判定するサーバアドレス判定手段と、
前記端末識別情報判定手段が、前記携帯端末装置から取得した携帯端末識別情報と前記サーバから取得した携帯端末識別情報とが一致すると判定し、かつ、前記サーバアドレス判定手段が、前記携帯端末装置から取得したサーバアドレスと前記サーバから取得したサーバアドレスとが一致すると判定した場合に、前記サーバから取得した画像形成情報に含まれる画像情報を画像形成する画像形成手段とを備えたことを特徴とする画像形成装置。
【請求項２】
前記サーバが前記携帯端末装置からの画像形成情報を蓄積する際に生成した蓄積識別情報であって、この蓄積識別情報を取得した携帯端末装置と前記携帯端末通信手段によって通信することで取得した蓄積識別情報と、前記ネットワーク通信手段によって前記サーバと通信することで取得した画像形成情報に含まれる蓄積識別情報とが一致するか否かを判定する蓄積識別情報判定手段を備え、
前記画像形成手段は、前記端末識別情報判定手段が前記携帯端末装置から取得した携帯端末識別情報と前記サーバから取得した携帯端末識別情報とが一致すると判定し、かつ前記蓄積識別情報判定手段が前記携帯端末装置から取得した蓄積識別情報と前記サーバから取得した蓄積識別情報とが一致すると判定した場合に、前記サーバから取得した画像形成情報に含まれる画像情報を画像形成することを特徴とする請求項１に記載の画像形成装置。
【請求項３】
前記携帯端末通信手段は、自装置から所定の距離内に携帯端末装置が存在するか否かを検索し、自装置から所定の距離内に存在する携帯端末装置と通信することを特徴とする請求項１または請求項２に記載の画像形成装置。
【請求項４】
各携帯端末装置を識別する携帯端末識別情報を含んだ画像形成情報を発信するネットワーク上の複数の携帯端末装置と、これらの携帯端末装置からの画像形成情報を処理して蓄積する少なくとも２つのサーバと、少なくとも２つのサーバによって処理された画像形成情報を画像形成する画像形成装置とを含む画像形成システムにおいて、
前記画像形成装置は、複数の携帯端末装置と通信する携帯端末通信手段と、前記サーバを含むネットワーク上の各装置と通信するネットワーク通信手段と、前記携帯端末通信手段によって前記携帯端末装置と通信することで取得した携帯端末識別情報と、前記ネットワーク通信手段によって前記サーバと通信することで取得した画像形成情報に含まれる携帯端末識別情報とが一致するか否かを判定する端末識別情報判定手段と、前記携帯端末通信手段によって前記携帯端末装置と通信することで取得したサーバアドレスと、前記ネットワーク通信手段によって前記サーバと通信することで取得した画像形成情報に含まれるサーバアドレスとが一致するか否かを判定するサーバアドレス判定手段と、
前記端末識別情報判定手段が、前記携帯端末装置から取得した携帯端末識別情報と前記サーバから取得した携帯端末識別情報とが一致すると判定し、かつ、前記サーバアドレス判定手段が、前記携帯端末装置から取得したサーバアドレスと前記サーバから取得したサーバアドレスとが一致すると判定した場合に、前記サーバから取得した画像形成情報に含まれる画像情報を画像形成する画像形成手段とを有することを特徴とする画像形成システム。
【請求項５】
前記サーバは、前記携帯端末装置からの画像形成情報を処理して蓄積する場合に、処理された画像形成情報を識別する蓄積識別情報を生成するとともに、この蓄積識別情報を処理した画像形成情報に附して蓄積し、
前記携帯端末装置は、前記サーバから蓄積識別情報を取得し、
前記画像形成装置は、前記携帯端末通信手段によって前記携帯端末装置と通信することで取得した蓄積識別情報が前記ネットワーク通信手段によって前記サーバと通信することで取得した画像形成情報に含まれる蓄積識別情報と一致するか否かを判定する蓄積識別情報判定手段と、前記端末識別情報判定手段が前記携帯端末装置から取得した携帯端末識別情報と前記サーバから取得した携帯端末識別情報とが一致すると判定し、かつ前記蓄積識別情報判定手段が前記携帯端末装置から取得した蓄積識別情報と前記サーバから取得した蓄積識別情報とが一致すると判定した場合に、前記サーバから取得した画像形成情報に含まれる画像情報を画像形成する画像形成手段とを有することを特徴とする請求項４に記載の画像形成システム。
【請求項６】
前記画像形成装置の前記携帯端末通信手段は、自装置から所定の距離内に携帯端末装置が存在するか否かを検索し、自装置から所定の距離内に存在する携帯端末装置と通信することを特徴とする請求項４または請求項５に記載の画像形成システム。
【発明の詳細な説明】
【０００１】
【発明の属する技術分野】
本発明は、画像形成装置、この画像形成装置を備えた画像形成システム、および携帯端末装置などの画像形成システムを構成する各周辺機器に関し、より詳しくは、携帯端末装置との通信機能を備えた画像形成装置、この画像形成装置を備えた画像形成システム、および携帯端末装置などの画像形成システムを構成する各周辺機器に関する。
【０００２】
【従来の技術】
従来の技術として、特開２０００−３５８６９号公報には、ネットワーク上の任意の位置に配置されている各データ処理装置からの印刷ジョブをジョブサーバが一時預かりして印刷ジョブ識別情報を付与して蓄積管理し、同ネットワーク上で印刷ジョブの要求者が意図するプリントサーバより付与された印刷ジョブ識別情報と管理されている印刷ジョブ識別情報とが一致すれば、随時読み出してプリントサーバに配信する構成を特徴とする印刷システムが記載されている。この印刷システムでは、印刷ジョブの要求者を含む印刷物受領者がネットワーク上で頻繁に移動するようなワーク環境下であっても、当該ワーク環境に適応した印刷ジョブ配信サービスを効率よく行えるようになっている。
【０００３】
【発明が解決しようとする課題】
しかしながら、従来の印刷システムにおいては、ジョブサーバがプリントサーバより付与された印刷ジョブ識別情報と管理されている印刷ジョブ識別情報とが一致するか否かを判定しており、印刷物受領者がデータ処理装置から印刷を指示する場合、データ処理装置とジョブサーバとを接続する必要があった。すなわち、印刷物受領者は、データ処理装置がプリントサーバを介してジョブサーバに接続可能な接続可能位置から印刷を指示せざるを得なかった。特に、この接続可能位置とプリンタ配置位置との距離が大きい場合、印刷物受領者が接続可能位置からプリンタ配置位置まで移動するために時間がかかる。その結果、この移動時間にプリンタが印刷物を出力すると、出力された印刷物の内容が印刷物受領者以外の第三者に知られてしまう可能性が高くなる。つまり、印刷物受領者以外の第三者に知られてはならない印刷物を安心して出力することができないという問題があった。
【０００４】
そこで、本発明は、印刷物を含む画像形成の結果物を受取する者が安心して画像形成を指示することができる画像形成装置および画像形成システムを提供するものである。
【０００５】
【課題を解決する手段】
上記課題を解決するため、本発明に係る画像形成装置は、各携帯端末装置を識別する携帯端末識別情報を含んだ画像形成情報を発信するネットワーク上の各携帯端末装置と通信する携帯端末通信手段と、前記各携帯端末装置からの画像形成情報を処理して蓄積する少なくとも２つのサーバを含むネットワーク上の装置と通信するネットワーク通信手段と、前記携帯端末通信手段によって前記携帯端末装置と通信することで取得した携帯端末識別情報と、前記ネットワーク通信手段によって前記サーバと通信することで取得した画像形成情報に含まれる携帯端末識別情報とが一致するか否かを判定する端末識別情報判定手段と、前記携帯端末通信手段によって前記携帯端末装置と通信することで取得したサーバアドレスと、前記ネットワーク通信手段によって前記サーバと通信することで取得した画像形成情報に含まれるサーバアドレスとが一致するか否かを判定するサーバアドレス判定手段と、前記端末識別情報判定手段が、前記携帯端末装置から取得した携帯端末識別情報と前記サーバから取得した携帯端末識別情報とが一致すると判定し、かつ、前記サーバアドレス判定手段が、前記携帯端末装置から取得したサーバアドレスと前記サーバから取得したサーバアドレスとが一致すると判定した場合に、前記サーバから取得した画像形成情報に含まれる画像情報を画像形成する画像形成手段とを備える。ここで、画像形成情報には、画像情報なども含まれる。
【０００６】
この構成によって、画像形成実行の指示が画像形成装置と携帯端末装置との間で直接行われるので、携帯端末装置による画像形成指示時点と画像形成装置による画像形成開始時点との間隔が小さくなり、画像形成指示時点と画像形成開始時点との間に画像形成物を受領すべき画像形成物受領者以外の第三者に画像形成物の内容を知られることを防止することができる。また、前記携帯端末装置からの携帯端末識別情報と前記サーバからの携帯端末識別情報とが一致する場合に、前記サーバからの画像形成情報に含まれる画像情報が画像形成されるので、サーバからの端末識別情報に対応した携帯端末装置を有する画像形成物受領者に対してのみ画像形成が行われ、画像形成物受領者が安心して画像形成指示を行うことができる。
【０００７】
本発明に係る画像形成装置においては、前記サーバが前記携帯端末装置からの画像形成情報を蓄積する際に生成した蓄積識別情報であって、この蓄積識別情報を取得した携帯端末装置と前記携帯端末通信手段によって通信することで取得した蓄積識別情報が前記ネットワーク通信手段によって前記サーバと通信することで取得した画像形成情報に含まれる蓄積識別情報と一致するか否かを判定する蓄積識別情報判定手段を備えている。また、本発明に係る画像形成装置においては、前記画像形成手段は、前記端末識別情報判定手段が前記携帯端末装置から取得した携帯端末識別情報と前記サーバから取得した携帯端末識別情報とが一致すると判定し、かつ前記蓄積識別情報判定手段が前記携帯端末装置から取得した蓄積識別情報と前記サーバから取得した蓄積識別情報とが一致すると判定した場合に、前記サーバから取得した画像形成情報に含まれる画像情報を画像形成することを特徴とする。
【０００８】
この構成によって、前記携帯端末装置からの携帯端末識別情報と前記サーバからの携帯端末識別情報とが一致し、かつ前記携帯端末装置からの蓄積識別情報と前記サーバからの蓄積識別情報とが一致した場合にのみ、前記サーバから取得した画像形成情報に含まれる画像情報が画像形成されるので、サーバからの端末識別情報および蓄積識別情報を保持した携帯端末装置を有する画像形成物受領者に対してのみ画像形成が行われ、画像形成物受領者がより安心して画像形成指示を行うことができる。
【０００９】
本発明に係る画像形成装置においては、前記携帯端末通信手段は、自装置から所定の距離内に携帯端末装置が存在するか否かを検索し、自装置から所定の距離内に存在する携帯端末装置と通信することを特徴とする。
【００１０】
この構成によって、画像形成指示を行う携帯端末装置が画像形成装置から所定の距離内に入ると、画像形成装置が、画像形成指示を行う携帯端末装置から端末識別情報を取得して画像形成を開始するので、画像形成指示を行う者は画像形成物を取得する作業を効率的に行うことができる。
【００１１】
本発明に係る画像形成装置においては、前記サーバから取得した画像形成情報を表示する表示手段と、この表示手段によって表示された画像形成情報から画像形成手段に画像形成させる画像形成情報をユーザに選択させる選択手段とを備えることが好ましい。
【００１２】
この構成によって、この表示手段によって画像形成情報を表示して、この画像形成情報に含まれる画像情報から画像形成する画像情報をユーザである画像形成物受領者に選択させるので、画像形成する必要がない画像情報を画像形成することを防止することができる。
【００１３】
本発明に係る画像形成システムは、各携帯端末装置を識別する携帯端末識別情報を含んだ画像形成情報を発信するネットワーク上の複数の携帯端末装置と、これらの携帯端末装置からの画像形成情報を処理して蓄積する少なくとも２つのサーバと、少なくとも２つのサーバによって処理された画像形成情報を画像形成する画像形成装置とを含む画像形成システムにおいて、前記画像形成装置は、複数の携帯端末装置と通信する携帯端末通信手段と、前記サーバを含むネットワーク上の各装置と通信するネットワーク通信手段と、前記携帯端末通信手段によって前記携帯端末装置と通信することで取得した携帯端末識別情報と、前記ネットワーク通信手段によって前記サーバと通信することで取得した画像形成情報に含まれる携帯端末識別情報とが一致するか否かを判定する端末識別情報判定手段と、前記携帯端末通信手段によって前記携帯端末装置と通信することで取得したサーバアドレスと、前記ネットワーク通信手段によって前記サーバと通信することで取得した画像形成情報に含まれるサーバアドレスとが一致するか否かを判定するサーバアドレス判定手段と、前記端末識別情報判定手段が、前記携帯端末装置から取得した携帯端末識別情報と前記サーバから取得した携帯端末識別情報とが一致すると判定し、かつ、前記サーバアドレス判定手段が、前記携帯端末装置から取得したサーバアドレスと前記サーバから取得したサーバアドレスとが一致すると判定した場合に、前記サーバから取得した画像形成情報に含まれる画像情報を画像形成する画像形成手段とを有する。
【００１４】
この構成によって、画像形成指示が画像形成装置と携帯端末装置との間で直接行われるので、携帯端末装置による画像形成指示時点と画像形成装置による画像形成開始時点との間隔が小さくなり、画像形成指示時点と画像形成開始時点との間に画像形成物受領者以外の第三者に画像形成情報の内容を知られることを防止することができる。また、前記携帯端末装置からの携帯端末識別情報と前記サーバからの携帯端末識別情報とが一致する場合に、前記サーバからの画像形成情報に含まれる画像情報が画像形成されるので、サーバからの端末識別情報に対応した携帯端末装置を有する画像形成物受領者に対してのみ画像形成が行われ、画像形成物受領者が安心して画像形成指示を行うことができる。
【００１５】
本発明に係る画像形成システムにおいては、前記サーバは、前記携帯端末装置からの画像形成情報を処理して蓄積する場合に、処理された画像形成情報を識別する蓄積識別情報を生成するとともに、この蓄積識別情報を処理した画像形成情報に附して蓄積し、また、前記携帯端末装置は、前記サーバから蓄積識別情報を取得する。さらに、本発明に係る画像形成システムにおいては、前記画像形成装置は、前記携帯端末通信手段によって前記携帯端末装置と通信することで取得した蓄積識別情報が前記ネットワーク通信手段によって前記サーバと通信することで取得した画像形成情報に含まれる蓄積識別情報と一致するか否かを判定する蓄積識別情報判定手段と、前記端末識別情報判定手段が前記携帯端末装置から取得した携帯端末識別情報と前記サーバから取得した携帯端末識別情報とが一致すると判定し、かつ前記蓄積識別情報判定手段が前記携帯端末装置から取得した蓄積識別情報と前記サーバから取得した蓄積識別情報とが一致すると判定した場合に、前記サーバから取得した画像形成情報に含まれる画像情報を画像形成する画像形成手段とを有する。
【００１６】
この構成によって、前記携帯端末装置からの携帯端末識別情報と前記サーバからの携帯端末識別情報とが一致し、かつ前記携帯端末装置からの蓄積識別情報と前記サーバからの蓄積識別情報とが一致した場合にのみ、前記サーバから取得した画像情報が画像形成されるので、サーバからの端末識別情報および蓄積識別情報を保持した携帯端末装置を有する画像形成物受領者に対してのみ画像形成が行われ、画像形成物受領者がより安心して画像形成指示を行うことができる。
【００１７】
本発明に係る画像形成システムにおいては、自装置から所定の距離内に携帯端末装置が存在するか否かを検索し、自装置から所定の距離内に存在する携帯端末装置と通信することを特徴とする。
【００１８】
この構成によって、画像形成指示を行う携帯端末装置が画像形成装置から所定の距離内に入ると、画像形成装置が、画像形成実行指示を行う携帯端末装置から端末識別情報を取得して画像形成を開始するので、画像形成指示を行う画像形成物受領者は画像形成物を取得する作業を効率的に行うことができる。
【００１９】
本発明に係る画像形成システムにおいては、前記画像形成装置が、前記サーバから取得した画像形成情報を表示する表示手段と、この表示手段によって表示された画像形成情報に含まれる画像情報から画像形成手段に画像形成させる画像情報をユーザに選択させる選択手段とを備えることが好ましい。
【００２０】
この構成によって、この表示手段によって画像形成情報を表示して、この画像形成情報から画像形成する画像形成情報をユーザである画像形成物受領者に選択させるので、画像形成する必要がない画像情報を画像形成することを防止することができる。
【００２１】
【発明の実施の形態】
以下、本発明に係る画像形成システムの好ましい実施の形態である印刷システムを図面に基づいて説明する。
【００２２】
（第１の実施の形態）
本実施の形態の印刷システムは、図１に示すように、各携帯端末装置を識別する携帯端末識別情報を含んだ画像形成情報である印刷情報を発信するネットワーク上の携帯端末装置であるＰＤＡ１００（Ｐｅｒｓｏｎａｌ  Ｄｉｇｉｔａｌ  Ａｓｓｉｓｔａｎｃｅ）と、これらのＰＤＡ１００からの印刷情報を処理して蓄積するサーバ２００と、サーバ２００によって処理された印刷情報を印刷するプリンタ３００とからなる。ここで、プリンタ３００は、画像形成装置に対応するものである。なお、本実施の形態では、携帯端末装置としてＰＤＡ１００を用いているが、画像データを取り込める携帯電話装置などを用いることを妨げない。
【００２３】
ＰＤＡ１００は、図２に示すように、他のＰＤＡ１００と通信を行う端末通信部１１０と、ネットワーク通信を行うネットワーク通信部１２０と、携帯端末識別情報を格納する端末識別情報格納部１３０と、端末通信部１１０およびネットワーク通信部１２０によって取得した情報を格納する情報格納部１３０と、情報格納部１３０などに格納された情報を表示する表示部１４０と、表示部１４０を含む各部に指示を出す操作部１５０とを備える。
【００２４】
ここで、ネットワーク通信部１２０は、２．４ギガヘルツ帯域を用いる無線伝送方式であるＢｌｕｅｔｏｏｔｈ方式で通信することが好ましいが、米国電気電子学会が作成したＬＡＮ（Ｌｏｃａｌ  Ａｒｉａ  Ｎｅｔｗｏｒｋ）関係の規格ＩＥＥＥ８０２．１１Ｂに代表される無線ＬＡＮ、およびＵＳＢ（Ｕｎｉｖｅｒｓａｌ  Ｓｅｒｉａｌ  Ｂｕｓ）などで通信してもよい。端末通信部１１０がＢｌｕｅｔｏｏｔｈ方式で通信する場合、携帯端末識別情報として、６バイトの固有な物理アドレスを利用することが好ましい。
【００２５】
サーバ２００は、図２に示すように、ネットワーク通信を行うネットワーク通信部２１０と、ネットワーク通信部２１０によってＰＤＡ１００から取得した印刷情報に含まれる印刷要求情報を処理する印刷要求処理部２２０と、ＰＤＡ１００から取得した印刷情報に含まれる携帯端末識別情報を処理する端末識別情報処理部２３０と、印刷情報に含まれる画像情報を処理する印刷処理部２４０と、印刷要求処理部２２０からの情報、端末識別情報処理部２３０からの情報、および印刷処理部２４０からの情報を取得時別に蓄積識別情報を付して蓄積する印刷管理部２５０と、その他の各種情報を格納する各種情報格納部２６０とを備える。
【００２６】
プリンタ３００は、図２に示すように、複数のＰＤＡ１００と直接通信する携帯端末通信手段である携帯端末通信部３１０と、ネットワーク通信を行うネットワーク通信手段であるネットワーク通信部３２０と、ネットワーク通信部３２０によってサーバ２００と通信することで取得した印刷情報を管理する印刷情報管理部３３０とを備える。さらに、プリンタ３００は、携帯端末通信部３１０によってＰＤＡ１００と通信することで取得した携帯端末識別情報と、ネットワーク通信部３２０によってサーバ２００と通信することで取得した印刷情報に含まれる携帯端末識別情報とが一致するか否かを判定する端末識別情報判定手段である端末識別情報判定部３４０とを備える。さらに、プリンタ３００は、端末識別情報判定部３４０がＰＤＡ１００から取得した携帯端末識別情報とサーバ２００から取得した携帯端末識別情報とが一致すると判定した場合に、サーバ２００から取得した印刷情報に含まれる画像情報を印刷する印刷部３５０とを備える。さらに、プリンタ３００は、サーバ２００から取得した印刷情報を表示する表示手段である表示部３６０と、表示部３６０によって表示された印刷情報に含まれる画像情報から印刷部３５０に印刷させる画像情報をユーザに選択させる選択手段である選択部３７０とを備える。ここで、印刷部３５０は、画像形成手段に対応するものである。
【００２７】
次に、本実施の形態に係る印刷システムの動作について、図３および図４に従って説明する。ＰＤＡ１００は、ＰＤＡ１００のネットワーク通信部１２０によって印刷要求情報をサーバ２００に送信する。サーバ２００は、サーバ２００のネットワーク通信部２１０によってＰＤＡ１００からの印刷要求情報を取得すると、ネットワーク通信手段によって各種情報格納部２６０に格納されたプリンタ３００の設置場所に関する印刷場所一覧情報をＰＤＡ１００に送信する。ＰＤＡ１００は、サーバ２００からネットワーク通信手段によって取得した印刷場所一覧情報を表示部１４０に表示し、ユーザが操作部１５０によって指定したプリンタ３００の設置場所に関する印刷場所指定情報をサーバ２００にネットワーク通信手段によって送信する。
【００２８】
サーバ２００は、ＰＤＡ１００からサーバ２００のネットワーク通信部２１０によって印刷場所指定情報を取得し、印刷場所指定情報が示すプリンタ３００の設置場所に存在するプリンタ３００に関するプリンタ一覧情報をＰＤＡ１００にサーバ２００のネットワーク通信部２１０によって送信する。ＰＤＡ１００は、サーバ２００からＰＤＡ１００のネットワーク通信部１１０によって取得したプリンタ一覧情報を表示部１４０に表示し、ユーザが操作部１５０によって指定したプリンタ３００に関するプリンタ指定情報をサーバ２００にＰＤＡ１００のネットワーク通信部１１０によって送信する。このとき、ＰＤＡ１００は、印刷データ、携帯端末識別情報、および印刷要求情報として指示されたプリンタ３００に関する情報をサーバ２００にＰＤＡ１００のネットワーク通信部１１０によって送信する。ここで、携帯端末識別情報は、印刷情報を送信したＰＤＡ１００、または印刷物受取時に使用されるＰＤＡ１００に関する識別情報である。
【００２９】
サーバ２００は、ＰＤＡ１００からネットワーク通信手段によって取得した印刷情報のうち、プリンタ指定情報を印刷要求処理部２２０によって処理し、画像情報を印刷処理部２４０によって処理し、携帯端末識別情報を端末識別情報処理部２３０によって処理する。サーバ２００は、処理後の各情報を取得した順に蓄積識別情報を付して印刷要求管理部に蓄積する。サーバ２００は、指示されたプリンタ３００のアドレスをサーバ２００のネットワーク通信手段によってＰＤＡ１００に送信する。サーバ２００は、画像情報、端末識別情報、およびサーバアドレスを含む印刷情報をプリンタ指定情報に対応するプリンタ３００にサーバ２００のネットワーク通信部２１０によって送信する。
【００３０】
ＰＤＡ１００が、指示したプリンタ３００のアドレスをＰＤＡ１００のネットワーク通信手段によって取得した後の動作について、ＰＤＡ１００とプリンタ３００が無線ＬＡＮ方式で通信する場合と、ＰＤＡ１００とプリンタ３００がＢｌｕｅｔｏｏｔｈ方式で通信する場合とに分けて説明する。
【００３１】
ＰＤＡ１００とプリンタ３００とが無線ＬＡＮ方式で通信する場合、図３に示すように、ＰＤＡ１００は、ＰＤＡ１００のネットワーク通信部１１０によってＰＤＡ１００の端末識別情報およびサーバアドレスをサーバ２００から取得したプリンタ３００のアドレスに対応するプリンタ３００に直接送信する。プリンタ３００は、ＰＤＡ１００から携帯端末通信部３１０によって取得したＰＤＡ１００の端末識別情報と、サーバ２００から取得後に印刷情報管理部３３０に管理されたＰＤＡ１００の端末識別情報とが一致するか否かを端末識別情報判定部３４０によって判定する。ここで、サーバ２００がネットワーク上に複数存在する場合、プリンタ３００は、ＰＤＡ１００から取得したサーバアドレスと印刷情報管理部３３０によって管理されたサーバアドレスとが一致するか否かを端末識別情報判定部３４０によって判定する。プリンタ３００は、携帯端末通信部３１０によって取得したＰＤＡ１００の端末識別情報と印刷情報管理部３３０に管理されたＰＤＡ１００の端末識別情報とが一致する場合、印刷情報管理部３３０に管理された印刷情報に含まれる画像情報を印刷部３５０によって印刷する。これに対して、携帯端末通信部３１０によって取得したＰＤＡ１００の端末識別情報と印刷情報管理部３３０に管理されたＰＤＡ１００の端末識別情報とが一致しないと判定された場合、プリンタ３００は、ＰＤＡ１００から取得した携帯端末情報をＰＤＡ１００に返信する。
【００３２】
他方、ＰＤＡ１００とプリンタ３００とがＢｌｕｅｔｏｏｔｈ方式で通信する場合、図４に示すように、プリンタ３００は、ＰＤＡ１００がプリンタ３００から所定の距離内に存在するか否かを携帯端末通信部３１０によって検索し、印刷情報管理部３３０によって管理された端末識別情報に対応したＰＤＡ１００であれば、端末識別情報およびサーバアドレスを送信するようにＰＤＡ１００に要求する。ＰＤＡ１００がプリンタ３００からの要求に応じて端末識別情報およびサーバアドレスを送信すると、プリンタ３００は、ＰＤＡ１００から携帯端末通信手段によって端末識別情報およびサーバアドレスを取得する。プリンタ３００は、ＰＤＡ１００から取得した端末識別情報と印刷情報管理部３３０によって管理された端末識別情報とが一致するか否かを端末識別情報判定部３４０によって判定する。ここで、サーバ２００がネットワーク上に複数存在する場合、プリンタ３００は、ＰＤＡ１００から取得したサーバアドレスと印刷情報管理部３３０によって管理されたサーバアドレスとが一致するか否かを端末識別情報判定部３４０によって判定する。プリンタ３００は、携帯端末通信部３１０によって取得したＰＤＡ１００の端末識別情報と印刷情報管理部３３０に管理されたＰＤＡ１００の端末識別情報とが一致する場合、印刷情報管理部３３０に管理された印刷情報に含まれる画像情報を印刷部３５０によって印刷する。これに対して、携帯端末通信部３１０によって取得したＰＤＡ１００の端末識別情報と印刷情報管理部３３０に管理されたＰＤＡ１００の端末識別情報とが一致しないと判定された場合、プリンタ３００は、ＰＤＡ１００から取得した携帯端末情報をＰＤＡ１００に返信する。
【００３３】
なお、プリンタ３００は、表示部３６０によってサーバ２００から取得した印刷情報を表示し、選択部３７０によってこの印刷情報に含まれる画像情報から印刷部３５０に印刷させる画像情報をユーザに選択させることが好ましい。また、本実施の形態においては、ＰＤＡ１００が、ＰＤＡ１００によって予め指定したプリンタ３００と直接通信してサーバアドレスなどを送信しているが、ＰＤＡ１００が任意のプリンタ３００と直接通信してサーバアドレスを送信し、プリンタ３００がＰＤＡ１００から取得したサーバアドレスに基づいてこのサーバアドレスに対応するサーバ３００に接続して、ＰＤＡ１００からの端末識別情報に適した画像形成情報を取得するようにしてもよい。
【００３４】
本実施の形態によれば、印刷実行の指示がＰＤＡ１００とプリンタ３００との間で直接行われるので、ＰＤＡ１００による印刷開始指示時点とプリンタ３００による印刷開始時点との間隔が小さくなり、印刷開始指示時点と印刷開始時点との間に印刷物受領者以外の第三者に印刷物の内容を知られることを防止することができる。また、ＰＤＡ１００からの携帯端末識別情報とサーバ２００からの携帯端末識別情報とが一致する場合に、サーバ２００からの印刷情報に含まれる画像情報が印刷されるので、サーバ２００からの端末識別情報に対応したＰＤＡ１００を有する印刷物受領者に対してのみ印刷が行われ、印刷物受領者が安心して印刷指示を行うことができる。
【００３５】
本実施の形態によれば、印刷指示を行うＰＤＡ１００がプリンタ３００から所定の距離内に入ると、プリンタ３００が、印刷実行指示を行うＰＤＡ１００から端末識別情報を取得して印刷を開始するので、印刷指示を行う印刷物受領者は印刷物を取得する作業を効率的に行うことができる。
【００３６】
本実施の形態によれば、表示部３６０によって印刷情報を表示して、選択部３７０によってこの印刷情報から印刷する印刷情報をユーザである印刷物受領者に選択させるので、印刷する必要がない画像情報を印刷することを防止することができる。
【００３７】
（第２の実施の形態）
本実施の形態の印刷システムにおいて、第１の実施の形態の印刷システムと同様の構成についてはその説明を省略する。
【００３８】
本実施の形態の印刷システムにおいて、プリンタ３００は、携帯端末通信部３１０によってＰＤＡ１００と通信することで取得した蓄積識別情報がネットワーク通信部３２０によってサーバ２００と通信することで取得した印刷要求情報に含まれる蓄積識別情報と一致するか否かを判定する蓄積識別情報判定手段である蓄積識別情報判定部３８０を備える。さらに、プリンタ３００においては、印刷部３５０は、端末識別情報判定部３４０がＰＤＡ１００から取得した携帯端末識別情報とサーバ２００から取得した携帯端末識別情報とが一致すると判定し、かつ蓄積識別情報判定部３８０がＰＤＡ１００から取得した蓄積識別情報とサーバ２００から取得した蓄積識別情報とが一致すると判定した場合に、サーバ２００から取得した印刷要求情報を印刷する。
【００３９】
次に、本実施の形態の印刷システムの動作について、図５および図６を用いて説明する。ＰＤＡ１００は、ＰＤＡ１００のネットワーク通信部１２０によって印刷要求情報をサーバ２００に送信する。サーバ２００は、サーバ２００のネットワーク通信部２１０によってＰＤＡ１００からの印刷要求情報を取得すると、ネットワーク通信手段によって各種情報格納部２６０に格納されたプリンタ３００の設置場所に関する印刷場所一覧情報をＰＤＡ１００に送信する。ＰＤＡ１００は、サーバ２００からＰＤＡ１００のネットワーク通信部１１０によって取得した印刷場所一覧情報を表示部１４０に表示し、ユーザが操作部１５０によって指定したプリンタ３００の設置場所に関する印刷場所指定情報をサーバ２００にＰＤＡ１００のネットワーク通信部１１０によって送信する。
【００４０】
サーバ２００は、サーバ２００のネットワーク通信部２１０によって印刷場所指定情報を取得し、印刷場所指定情報に対応したプリンタ３００の設置場所に存在するプリンタ３００に関するプリンタ一覧情報をＰＤＡ１００にサーバ２００のネットワーク通信部２１０によって送信する。ＰＤＡ１００は、サーバ２００からＰＤＡ１００のネットワーク通信手段によって取得したプリンタ一覧情報を表示部１４０に表示し、ユーザが操作部１５０によって指定したプリンタ３００に関するプリンタ指定情報をサーバ２００にネットワーク通信手段によって送信する。このとき、ＰＤＡ１００は、印刷データ、携帯端末識別情報、および印刷要求情報としてプリンタ指定情報をサーバ２００にネットワーク通信手段によって送信する。ここで、携帯端末識別情報は、印刷情報を送信したＰＤＡ１００、または印刷物受取時に使用されるＰＤＡ１００に関する識別情報である。
【００４１】
サーバ２００は、ＰＤＡ１００からネットワーク通信手段によって取得した印刷情報のうち、プリンタ指定情報を印刷要求処理部２２０によって処理し、画像情報を印刷処理部２４０によって処理し、携帯端末識別情報を端末識別情報処理部２３０によって処理する。サーバ２００は、処理後の各情報を取得した順に蓄積識別情報を付して印刷要求管理部に蓄積する。サーバ２００は、指示されたプリンタ３００のアドレスと、蓄積識別情報とをサーバ２００のネットワーク通信部２１０によってＰＤＡ１００に送信する。サーバ２００は、画像情報、端末識別情報、サーバアドレス、蓄積識別情報を含む印刷情報をＰＤＡ１００によってプリンタ指定情報に対応するプリンタ３００にサーバ２００のネットワーク通信部２１０によって送信する。
【００４２】
ＰＤＡ１００が、指示したプリンタ３００のアドレスをＰＤＡ１００のネットワーク通信手段によって取得した後の動作について、ＰＤＡ１００とプリンタ３００が無線ＬＡＮ方式で通信する場合と、ＰＤＡ１００とプリンタ３００がＢｌｕｅｔｏｏｔｈ方式で通信する場合とに分けて説明する。
【００４３】
ＰＤＡ１００とプリンタ３００とが無線ＬＡＮ方式で通信する場合、図５に示すように、ＰＤＡ１００は、ＰＤＡ１００のネットワーク通信手段によってＰＤＡ１００の端末識別情報、サーバアドレス、および蓄積識別情報をサーバ２００から取得したプリンタ３００のアドレスに対応するプリンタ３００に直接送信する。プリンタ３００は、ＰＤＡ１００から携帯端末通信部３１０によって取得したＰＤＡ１００の端末識別情報と、サーバ２００から取得後に印刷情報管理部３３０に管理されたＰＤＡ１００の端末識別情報とが一致するか否かを端末識別情報判定部３４０によって判定する。また、プリンタ３００は、ＰＤＡ１００から携帯端末通信部３１０によって取得した蓄積識別情報と、サーバ２００から取得後に印刷情報管理部３３０に管理された蓄積識別情報とが一致するか否かを蓄積識別情報判定部３８０によって判定する。ここで、サーバ２００がネットワーク上に複数存在する場合、プリンタ３００は、ＰＤＡ１００から取得したサーバアドレスと印刷情報管理部３３０によって管理されたサーバアドレスとが一致するか否かを端末識別情報判定部３４０または蓄積識別情報判定部３８０によって判定する。プリンタ３００は、携帯端末通信部３１０によって取得したＰＤＡ１００の端末識別情報と印刷情報管理部３３０に管理されたＰＤＡ１００の端末識別情報とが一致すると判定され、かつ携帯端末通信部３１０によって取得した蓄積識別情報と印刷情報管理部３３０に管理された蓄積識別情報とが一致すると判定された場合に、印刷情報管理部３３０に管理された印刷情報に含まれる画像情報を印刷部３５０によって印刷する。これに対して、携帯端末通信部３１０によって取得したＰＤＡ１００の端末識別情報と印刷情報管理部３３０に管理されたＰＤＡ１００の端末識別情報とが一致しないと判定され、または携帯端末通信部３１０によって取得した蓄積識別情報と印刷情報管理部３３０に管理された蓄積識別情報とが一致しないと判定された場合、プリンタ３００は、ＰＤＡ１００から取得した携帯端末情報および蓄積識別情報をＰＤＡ１００に返信する。
【００４４】
他方、ＰＤＡ１００とプリンタ３００とがＢｌｕｅｔｏｏｔｈ方式で通信する場合、図６に示すように、プリンタ３００は、ＰＤＡ１００がプリンタ３００から所定の距離内に存在するか否かを携帯端末通信部３１０によって検索し、印刷情報管理部３３０によって管理された端末識別情報に対応したＰＤＡ１００であれば、端末識別情報、サーバアドレス、および蓄積識別情報を送信するようにＰＤＡ１００に要求する。ＰＤＡ１００がプリンタ３００からの要求に応じて端末識別情報、サーバアドレス、および蓄積識別情報を送信すると、プリンタ３００は、端末識別情報、サーバアドレス、および蓄積識別情報をＰＤＡ１００から携帯端末通信手段によって取得する。プリンタ３００は、ＰＤＡ１００から取得した端末識別情報と印刷情報管理部３３０によって管理された端末識別情報とが一致するか否かを端末識別情報判定部３４０によって判定する。また、プリンタ３００は、ＰＤＡ１００から携帯端末通信部３１０によって取得した蓄積識別情報と、サーバ２００から取得後に印刷情報管理部３３０に管理された蓄積識別情報とが一致するか否かを蓄積識別情報判定部３８０によって判定する。ここで、サーバ２００がネットワーク上に複数存在する場合、プリンタ３００は、ＰＤＡ１００から取得したサーバアドレスと印刷情報管理部３３０によって管理されたサーバアドレスとが一致するか否かを端末識別情報判定部３４０または蓄積識別情報判定部３８０によって判定する。プリンタ３００は、携帯端末通信部３１０によって取得したＰＤＡ１００の端末識別情報と印刷情報管理部３３０に管理されたＰＤＡ１００の端末識別情報とが一致すると判定され、かつ携帯端末通信部３１０によって取得した蓄積識別情報と印刷情報管理部３３０に管理された蓄積識別情報とが一致すると判定された場合に、印刷情報管理部３３０に管理された印刷情報に含まれる画像情報を印刷部３５０によって印刷する。これに対して、携帯端末通信部３１０によって取得したＰＤＡ１００の端末識別情報と印刷情報管理部３３０に管理されたＰＤＡ１００の端末識別情報とが一致しないと判定され、または携帯端末通信部３１０によって取得した蓄積識別情報と印刷情報管理部３３０に管理された蓄積識別情報とが一致しないと判定された場合、プリンタ３００は、ＰＤＡ１００から取得した携帯端末情報および蓄積識別情報をＰＤＡ１００に返信する。
【００４５】
なお、プリンタ３００は、表示部３６０によってサーバ２００から取得した印刷情報を表示し、選択部３７０によってこの印刷情報に含まれる画像情報から印刷部３５０に印刷させる画像情報をユーザに選択させることが好ましい。また、本実施の形態においては、ＰＤＡ１００が、ＰＤＡ１００によって予め指定したプリンタ３００と直接通信してサーバアドレスなどを送信しているが、ＰＤＡ１００が任意のプリンタ３００と直接通信してサーバアドレスを送信し、プリンタ３００がＰＤＡ１００から取得したサーバアドレスに基づいてこのサーバアドレスに対応するサーバ３００に接続して、ＰＤＡ１００からの端末識別情報および蓄積識別情報に適した画像形成情報を取得するようにしてもよい。
【００４６】
本実施の形態によれば、ＰＤＡ１００からの携帯端末識別情報とサーバ２００からの携帯端末識別情報とが一致し、かつＰＤＡ１００からの蓄積識別情報とサーバ２００からの蓄積識別情報とが一致した場合にのみ、サーバ２００から取得した画像情報が印刷されるので、サーバ２００からの端末識別情報および蓄積識別情報を保持したＰＤＡ１００を有する印刷物受領者に対してのみ印刷が行われ、印刷物受領者がより安心して印刷指示を行うことができる。
【００４７】
【発明の効果】
本発明によれば、サーバからの端末識別情報に対応した携帯端末装置を有する印刷物受領者に対してのみ印刷が行われ、印刷物受領者が安心して印刷指示を行うことができる。
【図面の簡単な説明】
【図１】本発明の第１の実施の形態および第２の実施の形態の印刷システムを示すその概念図
【図２】本発明の第１の実施の形態および第２の実施の形態の印刷システムを示すブロック図
【図３】本発明の第１の実施の形態の印刷システムが無線ＬＡＮ方式で通信する場合の動作を示す通信フロー
【図４】本発明の第１の実施の形態の印刷システムがＢｌｕｅｔｏｏｔｈ方式で通信する場合の動作を示す通信フロー
【図５】本発明の第２の実施の形態の印刷システムが無線ＬＡＮ方式で通信する場合の動作を示す通信フロー
【図６】本発明の第２の実施の形態の印刷システムがＢｌｕｅｔｏｏｔｈ方式で通信する場合の動作を示す通信フロー
【符号の説明】
１００    ＰＤＡ（携帯端末装置）
２００    サーバ
３００    プリンタ（画像形成装置）
３１０    携帯端末通信部（携帯端末通信手段）
３２０    ネットワーク通信部（ネットワーク通信手段）
３４０    端末識別情報判定部（端末識別情報判定手段）
３５０    印刷部（画像形成手段）
３８０    蓄積識別情報判定部（蓄積識別情報判定手段）
【図１】
0004011398.tif 000002
【図２】
0004011398.tif 000003
【図３】
0004011398.tif 000004
【図４】
0004011398.tif 000005
【図５】
0004011398.tif 000006
【図６】
0004011398.tif 000007